(57)【特許請求の範囲】
【請求項１】
複数の信号線を束ねてその外側にシールド部材を設けた第１のケーブル及び１本以上の信号線がその外側のシールド部材で覆われた第２の信号ケーブルを信号処理装置に接続するコネクタ部を有する電子内視鏡装置において、
前記コネクタ部に収容される回路基板と、
前記回路基板を覆うシールド手段と、
前記第１及び前記第２の信号ケーブルの前記コネクタ部側における両シールド部材露出部分を固定するための導電性のケーブル固定部材と、
前記導電性のケーブル固定部材を前記回路基板のグランドパターンに係止すると共に、前記シールド手段に固定する導電性の係止部材と、
を具備し、前記第１及び第２の信号ケーブルのシールド部材と、前記ケーブル固定部材と、前記シールド手段と、前記回路基板の前記グランドパターンとを、同電位にすることを特徴とする電子内視鏡装置。
【発明の詳細な説明】
【０００１】
【発明の属する技術分野】
本発明は、信号処理装置に接続するコネクタ部を有する電子内視鏡装置に関する。
【０００２】
【従来の技術】
従来より、内視鏡は、広く用いられている。上記内視鏡は、細長の挿入部を体腔内に挿入することによって体腔内の患部等を観察したり、必要に応じて処置具を鉗子チャンネル内に挿通して治療処置を行うことができる。上記内視鏡は、挿入部の先端部に設けた対物光学系から被写体像を取り込み、導光手段により接眼部まで伝達し、接眼部で被写体像を観察する光学式内視鏡がある。上記光学式内視鏡は、この接眼部にＣＣＤ等の撮像素子を内蔵した外付けテレビカメラ（以下、ＴＶカメラ）を着脱自在に取り付け可能である。上記ＴＶカメラは、延出する撮像ケーブル端部にカメラコントロールユニット（以下、ＣＣＵ）と着脱自在に接続する電子内視鏡用コネクタを設けている。そして、上記光学式内視鏡は、ＴＶカメラ及びＣＣＵと組み合わせて電子内視鏡装置を構成している。
【０００３】
また、内視鏡は、挿入部の先端側に対物光学系から取り込んだ被写体像を撮像するＣＣＤ等の撮像素子を内蔵した電子内視鏡がある。この電子内視鏡は、延出するユニバーサルコード端部に上記ＣＣＵと着脱自在に接続する電気コネクタを設けている。そして、上記電子内視鏡は、上記光学式内視鏡と同様にＣＣＵと組み合わせて電子内視鏡装置を構成している。
【０００４】
このような電子内視鏡装置は、撮像ケーブル又はユニバーサルコードを挿通する撮像信号ケーブルでＣＣＵからの駆動信号を伝達して撮像素子を駆動すると共に、この撮像素子で被写体像を光電変換して得た撮像信号をＣＣＵに伝達する。ＣＣＵは、上記撮像信号ケーブルで伝達された撮像信号を信号処理して、標準的な映像信号に変換し、モニタに表示するようになっている。
【０００５】
上記撮像信号ケーブルでＣＣＵに伝達される撮像信号は一般に微弱であり、外部から電磁ノイズが撮像信号ケーブルに入射すると、撮像信号は電磁ノイズの影響を受け易い。即ち、従来の電子内視鏡装置は、良好な画像を得ることが困難であった。また、上記撮像信号ケーブルで伝達されるＣＣＵからの駆動信号は、例えば水平転送信号等のような周波数の高い信号を伝達する際に外部に電磁ノイズを放射し易く、内蔵される他の電子部品等に電磁ノイズの影響を与える虞れがあった。
そこで、上記電子内視鏡装置は、内蔵される他の電子部品等に対し、撮像信号ケーブルにシールドを施す必要がある。
【０００６】
このような電子内視鏡装置は、例えば特開平１−１３７２１９号公報に記載されているように、複数の入出力信号線を束ねてこの外側をシールド用の金属製管で覆い、更に、この外側を電気絶縁材料で形成される外皮シールドで被覆して撮像信号ケーブルを構成している。上記シールド用の金属製網管は、ＣＣＤ等の撮像素子外周部をシールドする筒状のシールド部材に電気的に接続されると共に、上記入出力信号線が接続される接点ピンをシールドして内蔵するコネクタ本体に電気的に接続して高いシールド効果を得るように構成されている。
【０００７】
ところで、電子内視鏡装置は、操作性を向上させるために内視鏡操作部又はＴＶカメラ側部にリモートスイッチを設けることで、上記ＣＣＵに対して画像強調、ホワイトバランス調整、ＶＴＲ録画等の各種遠隔操作を可能にしたものがある。この場合、上記電子内視鏡装置は、リモートスイッチからＣＣＵ側において撮像信号ケーブルとリモート信号ケーブルとの２系統となる。この場合、上記電子内視鏡装置は、シールド性能を高めるために上記電気コネクタ内部でそれぞれの信号ケーブルのシールド用金属製網管を導通させ、更に内視鏡操作部又はＴＶカメラ内部の導電性部材と同電位化する必要がある。
【０００８】
【発明が解決しようとする課題】
しかしながら、上記電子内視鏡装置は、上記撮像信号ケーブル及びリモート信号ケーブルのシールド用金属製網管を導通させるために信号ケーブル同士を導線で縛ったり、信号ケーブル内の信号線で２つのシールド間、シールドと内視鏡又はＴＶカメラ内部の導電性部材間とを接続して同電位化していた。従って、電子内視鏡装置は、上記撮像信号ケーブル及びリモート信号ケーブルの２系統を有した場合、これら信号ケーブルの２つのシールド間及びこれら２つのシールドと内視鏡操作部又はＴＶカメラ内部の導電性部材間とを同電位化するために、組み立てが非常に困難で、煩雑であった。
【０００９】
本発明は、これらの事情に鑑みてなされたものであり、撮像信号ケーブル及びリモート信号ケーブルの２系統を有しても、組み立てが簡単で、有害な電磁ノイズの影響を低減できる電子内視鏡装置を提供することを目的とする。
【００１０】
【課題を解決するための手段】
上記目的を達成するため、本発明は、複数の信号線を束ねてその外側にシールド部材を設けた第１のケーブル及び１本以上の信号線がその外側のシールド部材で覆われた第２の信号ケーブルを信号処理装置に接続するコネクタ部を有する電子内視鏡装置において、前記コネクタ部に収容される回路基板と、前記回路基板を覆うシールド手段と、前記第１及び前記第２の信号ケーブルの前記コネクタ部側における両シールド部材露出部分を固定するための導電性のケーブル固定部材と、前記導電性のケーブル固定部材を前記回路基板のグランドパターンに係止すると共に、前記シールド手段に固定する導電性の係止部材と、を具備し、前記第１及び第２の信号ケーブルのシールド部材と、前記ケーブル固定部材と、前記シールド手段と、前記回路基板の前記グランドパターンとを、同電位にすることを特徴としている。
この構成により、撮像信号ケーブル及びリモート信号ケーブルの２系統を有しても、組み立てが簡単で、有害な電磁ノイズの影響を低減できる電子内視鏡装置を実現する。
【００１１】
【発明の実施の形態】
以下、図面を参照しながら本発明の実施の形態について説明する。
（第１の実施の形態）
図１ないし図８は本発明の第１の実施の形態に係わり、図１は本発明の第１の実施の形態の電子内視鏡を示す外観構成図、図２は図１の電子内視鏡の内部構成を示す概略断面図、図３は図２の撮像ケーブルを説明する断面構造図、図４は図２の内視鏡操作部の断面図、図５は図４の内視鏡操作部のＡ−Ａ断面図、図６はＣＣＵコネクタを説明する横断面図、図７は図６のＣＣＵコネクタの縦断面図、図８は図６のＣＣＵコネクタのＢ−Ｂ断面図である。
【００１２】
図１に示すように本発明の第１の実施の形態を備えた電子内視鏡装置に用いられる電子内視鏡１は、体腔内等に挿入される細長の挿入部２と、この挿入部２の基端側に把持部を兼ねるよう連接された太径の操作部３とから構成され、この操作部３後方側から延出され、可撓性を有するユニバーサルコード４を有している。前記ユニバーサルコード４は、前記挿入部２に対して十分長い長さを有しており、端部に図示しない光源装置と着脱自在で接続されるライトガイドコネクタ５を設けている。このライトガイドコネクタ５は、このコネクタ側部から延出するＣＣＵケーブル６端部に信号処理装置である図示しないＣＣＵと着脱自在で接続されるＣＣＵ接続用コネクタ（以下、ＣＣＵコネクタと略記）７を設けている。尚、前記電子内視鏡１は、図示しない光源装置及びＣＣＵとで電子内視鏡装置を構成している。
【００１３】
前記挿入部２は、先端側より後述の対物光学系及び撮像装置を内蔵する硬性の先端部１１と、湾曲可能な湾曲部１２と、軟性を有する軟性管部１３とから構成される。尚、前記軟性管部１３の代わりに硬性の硬性管部であっても良い。
前記操作部３は、前記挿入部２の湾曲部１２を遠隔的に湾曲操作するための湾曲操作レバー１４が設けられている。また、前記操作部８は、この側面にフリーズ、レリーズ、画像強調、ホワイトバランス調整、明るさ調整等の遠隔操作を行うリモートスイッチ１５を設けている。
【００１４】
図２に示すように前記挿入部２、操作部３、ユニバーサルコード４内には、照明光を伝達するライトガイドファイバ２１が挿通されている。このライトガイドファイバ２１の後端は、前記ライトガイドコネクタ５に至り、このライトガイドコネクタ５を前記光源装置に着脱自在に接続することで、この光源装置から供給される照明光を伝達し、前記先端部１１の照明窓（不図示）から患部等の被写体を照明する。
【００１５】
照明された被写体は、前記照明窓に隣接して設けた観察窓（不図示）に取り付けた対物光学系２２によりこの結像位置に配置されたＣＣＤ２３に結像するようになっている。前記ＣＣＵコネクタ７を前記ＣＣＵに接続することで、結像された被写体像は、前記ＣＣＤ２３で光電変換されるようになっている。
【００１６】
このＣＣＤ２３には撮像信号ケーブル２４が接続され、この撮像信号ケーブル２４の他端は、前記ユニバーサルコード４及び前記ＣＣＵケーブル６を挿通し前記ライトガイドコネクタ５を介して前記ＣＣＵコネクタ７端部に接続されている。尚、前記ＣＣＤ２３は、この外周部を筒状の電気シールド部材２５でシールドされている。
そして、ＣＣＤ２３で光電変換された撮像信号は、前記ＣＣＵコネクタ７によりＣＣＵへ伝達され、このＣＣＵで信号処理されて標準的な映像信号に変換され、図示しないモニタに内視鏡画像として表示されるようになっている。
【００１７】
このモニタに表示される内視鏡画像に上述したフリーズ、レリーズ、画像強調、ホワイトバランス調整、明るさ調整等の遠隔操作を前記ＣＣＵに対して行う前記リモートスイッチ１５には、リモート信号を伝達するリモート信号ケーブル２６が接続されている。このリモート信号ケーブル２６の他端は、前記ユニバーサルコード４及び前記ＣＣＵケーブル６を挿通し前記ライトガイドコネクタ５を介して前記ＣＣＵコネクタ７端部に接続されている。
そして、前記リモートスイッチ１５から出力されるリモート信号は、前記ＣＣＵコネクタ７によりＣＣＵへ伝達され、このＣＣＵでモニタに表示される内視鏡画像に対して上述した各種処理が行われるようになっている。
【００１８】
前記撮像信号ケーブル２４は、図３に示すように複数の入出力信号線２７を束ねた外周にシールド部材としての金属製網管２８で覆ってシールドし、更に、この金属製網管２８の外周に電気絶縁材料で形成した外皮チューブ２９で被覆して構成している。尚、前記シールド部材としては、前記金属製網管２８に限らず、金属箔テープを螺旋状に巻き付けたものでも良い。また、上述したように前記撮像信号ケーブル２４が前記ＣＣＤ２３と接続されているので、前記金属製網管２８は前記ＣＣＤ２３の電気シールド部材２５と接続されている。
【００１９】
一方、前記リモート信号ケーブル２６も前記撮像信号ケーブル２４と略同様な構造となっている。尚、リモート信号ケーブル２６は、前記リモートスイッチ１５の数に応じた入出力信号線２７を有しているので、前記撮像信号ケーブル２４よりも入出力信号線２７の本数が少なくなっている。
【００２０】
これらリモート信号ケーブル２６及び撮像信号ケーブル２４の他端は、ケーブル固定部材としてのケーブル固定管３１により固定され、それぞれの入出力信号線２７が前記ＣＣＵコネクタ７内に収納された回路基板３２と接続されるようになっている。
【００２１】
前記回路基板３２は電子回路や電子部品が設けられ、この回路基板３２の後端には前記ＣＣＵに接続されるための接点ユニット３３が設けられている。また、前記回路基板３２の外側には、この回路基板３２を覆うようにシールド手段として導電性部材、例えば、金属で形成されるシールドケース３４が設けられている。このシールドケース３４の外側には、このシールドケース３４を覆うように非導電性部材、例えば樹脂で形成されるシールドカバー３５が設けられ、前記接点ユニット３３と共にＣＣＵコネクタ７を構成している。
【００２２】
本実施の形態では、前記リモート信号ケーブル２６及び前記撮像信号ケーブル２４の金属製網管２８の露出部分を前記ケーブル固定管３１に固定し、このケーブル固定管３１を前記シールドケース３４に固定すると共に、前記回路基板３２上に形成したグランドパターンに係止する導電性の係止部材で固定することで、前記リモート信号ケーブル２６及び前記撮像信号ケーブル２４の金属製網管２８と、前記シールドケース３４と、前記回路基板３２に形成したグランドパターンとを、同電位にするように構成する。
【００２３】
次に、図４及び図５を用いて、前記リモートスイッチ１５が設けられている操作部３付近の構造を説明する。図４は、操作部３の断面図を示し、図５は図４のＡ−Ａ断面図である。
図４及び図５に示すように前記操作部３の外装部材である操作部カバー４１は、例えば、ポリフェニルサルフォン、ポリサルフォン、ポリフェニレンスルフィド、ＡＢＳ樹脂（アクリロニトリル・ブタジエン・スチレン樹脂）等の高温高圧水蒸気に対する耐性を有する樹脂部材から形成されている。前記操作部カバー４１は、前記リモートスイッチ１５であるスイッチボタン４２を設けている。このスイッチボタン４２は、例えばゴム等の弾性部材から形成され、前記操作部カバー４１に形成したスイッチ穴４３に嵌合されるようになっている。
【００２４】
このスイッチボタン４２の内面部は、棒状の硬性部材で形成されるキートップ４４を設けている。内部構造体である板状のツナギ４５は、前記スイッチボタン４２の上面と平行な平面部４５ａを形成している。このツナギ４５の平面部４５ａは、屈曲可能で肉薄のフレキシブル基板４６をビスで固定している。本実施の形態では、肉薄なフレキシブル基板４６を前記ツナギ４５と前記操作部カバー４１との隙間に設けているため、前記操作部３内部は省スペース化された構成となり、この操作部３の外装部材である前記操作部カバー４１を大きくすることなく構成できるようになっている。
【００２５】
前記フレキシブル基板４６の上面は、前記スイッチボタン４２の押下操作によって前記キートップ４４で押下されてオンするスイッチ４７を設けている。前記スイッチ４７は、前記キートップ４４の下面が当接される位置に設けられている。尚、前記スイッチボタン４２は、例えば、操作部長手方向に対して縦に並べても良いし、図５に示すように横に並べても良い。また、前記スイッチ４７の個数は、２個ではなくとも良く、所望の遠隔操作に応じて２個以上でもよい。
【００２６】
これらスイッチ４７は、図示しないが前記フレキシブル基板４６を介してそれぞれ入出力信号線２７が接続され、これら入出力信号線２７は束ねられてリモート信号ケーブル２６として前記撮像信号ケーブル２４と共に前記ＣＣＵコネクタ７端部に至り、それぞれの入出力信号線２７が前記ＣＣＵコネクタ７内の前記回路基板３２と接続されるようになっている。
【００２７】
次に、図６〜図８を用いて前記ＣＣＵコネクタ７について説明する。
図６は、ＣＣＵコネクタの横断面図、図７はＣＣＵコネクタの縦断面図、図８は図６のＢ−Ｂ断面図である。
前記回路基板３２は、上述したようにこの回路基板３２後端に接点ユニット３３を設けており、外側にこの回路基板３２を覆うように金属等の導電性部材で形成されるシールドケース３４が設けられている。
【００２８】
前記回路基板３２は、この先端側端部の下面に、例えば金属等の導電性部材から形成されるクランプ台５１の平面部５１ａを当接している（図８参照）。このクランプ台５１の先端面は前記シールドケース３４の内側面にビスで機械的に固定されると共に、電気的にも接続される。このクランプ台５１は、円形の横穴５１ｂが形成されている。この横穴５１ｂには、上述したリモート信号ケーブル２６及び撮像信号ケーブル２４の他端を固定するケーブル固定管３１が嵌入されるようになっている。
【００２９】
前記ケーブル固定管３１は略円筒形状で、前記リモート信号ケーブル２６及び撮像信号ケーブル２４の２つのケーブルを挿通する貫通穴３１ａを形成していると共に、このケーブル固定管３１の外周面は板状のクランプ５２が嵌まり込む大きさの溝部３１ｂを形成している。また、前記ケーブル固定管３１は、前記金属製網管２８が露出された撮像信号ケーブル２４端部及びリモート信号ケーブル２６端部が前記貫通穴３１ａに挿入され、これら撮像信号ケーブル２４端部及びリモート信号ケーブル２６端部は半田によって機械的、電気的に強固に接続されるようになっている。
【００３０】
前記ケーブル固定管３１は、前記溝部３１ｂに前記クランプ５２を嵌め込むことによって前記クランプ台５１に係止されるようになっている。
前記クランプ５２の両端部は前記回路基板３２上に形成されるグランド（ＧＮＤ）パターン３２ａの露出部と接する位置に設けられ、ビスにより前記回路基板３２に固定される。このことにより、前記クランプ台５１と、前記ケーブル固定管３１と、前記クランプ５２と、前記撮像信号ケーブル２４の金属製網管２８ａと、前記リモート信号ケーブル２６の金属製網管２８ｂ及び回路基板３２のグランドパターン３２ａは電気的に同電位化される。
【００３１】
また、前記ケーブル固定管３１は前記溝部３１ｂに前記クランプ５２が嵌め込まれて固定されているので、前記回路基板３２に対して撮像信号ケーブル２４及びリモート信号ケーブル２６が前後左右上下方向に動くことがない。このことにより、本実施の形態では、撮像信号ケーブル２４及びリモート信号ケーブル２６のＣＣＵコネクタ側の固定がより強固となり、引っ張りのストレスがケーブルに加わっても信号線２７と回路基板３２のランド３２ｂとの接続部の断線が生じない。
【００３２】
撮像信号ケーブル２４及びリモート信号ケーブル２６の各入出力信号線２７は回路基板３２上に形成されるランド３２ｂに半田付けされる。尚、前記ランド３２ｂは前記接点ユニット３３に電気的に接続されている。このことにより、前記撮像信号ケーブル２４及びリモート信号ケーブル２６の各入出力信号線２７を通って伝達される電気信号は、これらランド３２ｂ及び接点ユニット３３を介してＣＣＵに伝達されるようになっている。
【００３３】
このように構成された電子内視鏡１の作用を説明する。
ＣＣＵケーブル６内を挿通された撮像信号ケーブル２４及びリモート信号ケーブル２６のそれぞれの後端部の外皮チューブ２９をＣＣＵコネクタ７内で剥離する。そして、これら撮像信号ケーブル２４及びリモート信号ケーブル２６各々のシールド部材である金属製網管２８部分を導電性のケーブル固定管３１の貫通穴３１ａに挿通して半田等で固定する。このケーブル固定管３１は、シールドケース３４に固定する。このことにより、撮像信号ケーブル２４及びリモート信号ケーブル２６の両金属製網管２８はケーブル固定管３１とシールドケース３４と電気的に接続されて同電位にされ、電磁ノイズの放射及び入射を防止する電磁ノイズシールド機構（電磁ノイズ遮蔽機構）を構成する。
【００３４】
更に、クランプ５２を介してケーブル固定管３１と回路基板３２のグランドパターン３２ａとが同電位化される。即ち、上記電磁ノイズシールド機構と、回路基板３２のグランドパターン３２ａとが同電位化される。このことにより、電磁ノイズシールド機構に吸収されたノイズが、回路基板３２のグランド３２ｂ（ＧＮＤ）パターン３３に吸収され、消失するようになり、更に高いシールド機能を確保することができる。
【００３５】
この結果、本実施の形態は、簡単な作業で組み立てができ、高いシールド機能を確保することができる。従って、本実施の形態の電子内視鏡は、有害な電磁ノイズの放射及び入射の影響を受け難くするようことができる。また、本実施の形態は、電磁ノイズシールド機構と回路基板３２のグランドパターン３２ａとが同電位化されることで、更に高いシールド機能を確保することができ、従って、有害な電磁ノイズの放射及び入射の影響を更に受け難く構成できる。
【００３６】
撮像信号ケーブル２４で伝達される撮像信号は一般に微弱であり、外部から電磁ノイズが撮像信号ケーブル２４に入射すると、撮像信号は電磁ノイズの影響を受け易い。即ち、従来の電子内視鏡は、良好な画像を得ることが困難であったが、本実施形態では電磁ノイズシールド機構により電磁ノイズの入射を有効に防止でき、良好な画像が得られる。
【００３７】
また、駆動信号を伝達する撮像信号ケーブル２４は例えば水平転送信号等のような周波数の高い信号を伝達する際に外部に電磁ノイズを放射し易くなるが、本実施形態ではこの電磁ノイズの放射を上記電磁ノイズシールド機構により有効に防止することができる。
【００３８】
これにより、本実施の形態の電子内視鏡は、簡単な作業で組み立てができ、有害な電磁ノイズの放射及び入射を確実に低減でき、良好な内視鏡画像を得ることができる。
【００３９】
（第２の実施の形態）
図９及び図１０は本発明の第２の実施の形態に係わり、図９は本発明の第２の実施の形態の電子内視鏡装置を示す外観構成図、図１０は図９の電子内視鏡装置の内部構成を示す概略断面図である。
上記第１の実施の形態では、内視鏡挿入部の先端部にＣＣＤ２５を内蔵した電子内視鏡１のＣＣＵコネクタ７に本発明を適用して構成しているが、本第２の実施の形態では光学式内視鏡の接眼部に着脱自在に取り付けられるＴＶカメラのＣＣＵコネクタに本発明を適用する。それ以外の構成は、上記第１の実施の形態で説明したのと同様な構成なので説明を省略し、同じ構成には同じ符号を付して説明する。
【００４０】
即ち、図９に示すように本発明の第２の実施の形態の電子内視鏡装置６０は、光学式内視鏡６１と、この光学式内視鏡６１の接眼部に着脱自在に取り付けられる外付けテレビカメラ（以下、ＴＶカメラ）６２とから構成される。
【００４１】
前記光学式内視鏡６１は、細長で硬性の挿入部６３と、この挿入部６３の基端側に設けた操作部６４と、この操作部６４の上部に設けた接眼部６５とから構成される硬性内視鏡であり、前記操作部６４側部から延出するライトガイドケーブル６６を有している。前記ライトガイドケーブル６６は、前記挿入部６３に対して十分長い長さを有しており、端部に図示しない光源装置と着脱自在で接続されるライトガイドコネクタ６７を設けている。尚、本実施の形態の光学式内視鏡６１は硬性内視鏡であるが、挿入部６３が軟性の光学式内視鏡であっても構わない。
【００４２】
前記ＴＶカメラ６２は、後端部から延出するカメラケーブル６８の端部に信号処理装置である図示しないＣＣＵと着脱自在で接続されるＣＣＵコネクタ６９を設けている。また、前記ＴＶカメラ６２は、この側面に上記第１の実施の形態で説明したのと同様なリモートスイッチ１５を設けている。
【００４３】
図１０に示すように前記挿入部６３、操作部６４、ライトガイドケーブル６６内には、上記第１の実施の形態で説明したのと同様なライトガイドファイバ２１が挿通されている。このライトガイドファイバ２１の後端は、前記ライトガイドコネクタ６７に至り、このライトガイドコネクタ６７を前記光源装置に着脱自在に接続することで、この光源装置から供給される照明光を伝達し、挿入部先端部の照明窓（不図示）から患部等の被写体を照明する。
【００４４】
照明された被写体は、前記照明窓に隣接して設けた観察窓（不図示）に取り付けた対物光学系２２によりこの結像位置に被写体像を結像し、この被写体像は被写体像導光手段としてのイメージガイドファイバ７１により後方側に伝達され、前記接眼部６５の接眼レンズ７２により拡大観察される。尚、前記光学式内視鏡６１は、イメージガイドファイバ７１の代わりにリレーレンズ系等の被写体像導光手段を用いて構成しても良い。
【００４５】
前記接眼部６５に前記ＴＶカメラ６２が取り付けられると、前記接眼部６５からの被写体像はＴＶカメラ６２に設けた結像レンズ系７３により、この結像位置に配置したＣＣＤ７４に結像されるようになっている。前記ＣＣＵコネクタ６９を前記ＣＣＵに接続することで、結像された被写体像は、前記ＣＣＤ７４で光電変換されるようになっている。
【００４６】
このＣＣＤ７４には上記第１の実施の形態で説明したのと同様な撮像信号ケーブル２４が接続されている。この撮像信号ケーブル２４の他端は、前記カメラケーブル６８内を挿通し前記ＣＣＵコネクタ６９端部に接続されている。尚、前記ＣＣＤ７４は、この外周部を上記第１の実施の形態で説明したのと同様な筒状の電気シールド部材２５でシールドされている。また、この電気シールド部材２５は、前記撮像信号ケーブル２４前端で前記金属製網管２８と接続されている。
【００４７】
そして、ＣＣＤ７４で光電変換された撮像信号は、前記ＣＣＵコネクタ６９によりＣＣＵへ伝達され、このＣＣＵで信号処理されて標準的な映像信号に変換され、図示しないモニタに内視鏡画像として表示されるようになっている。
【００４８】
前記リモートスイッチ１５には、上記第１の実施の形態で説明したのと同様なリモート信号ケーブル２６が接続されている。このリモート信号ケーブル２６の他端は、前記カメラケーブル６８内を挿通し前記ＣＣＵコネクタ６９端部に接続されている。そして、前記リモートスイッチ１５から出力されるリモート信号は、前記ＣＣＵコネクタ６９によりＣＣＵへ伝達され、このＣＣＵでモニタに表示される内視鏡画像に対して上述した各種処理が行われるようになっている。
【００４９】
前記撮像信号ケーブル２４及び前記リモート信号ケーブル２６は、上記第１の実施の形態で説明したのと同様な構成となっている。そして、これらリモート信号ケーブル２６及び撮像信号ケーブル２４の他端は、前記ＣＣＵコネクタ６１内でケーブル固定管３１により固定され、それぞれの入出力信号線２７が回路基板３２と接続されるようになっている。このＣＣＵコネクタ６９の構造は、上記第１実施の形態で説明したＣＣＵコネクタ７と同様な構成である。
【００５０】
このように構成された本第２の実施の形態の電子内視鏡装置６０は、上記第１の実施の形態の電子内視鏡１と同様な効果を得ることができる。
【００５１】
尚、本発明は、以上述べた実施形態のみに限定されるものではなく、発明の要旨を逸脱しない範囲で種々変形実施可能である。
【００５２】
ところで、上述した電子内視鏡１等の（医療用）内視鏡は、内視鏡検査後、確実に消毒滅菌することが必要不可欠である。
最近では、内視鏡機器類の滅菌として、オートクレーブ滅菌（高温高圧蒸気滅菌）が主流になりつつある。上記オートクレーブ滅菌（高温高圧蒸気滅菌）は、煩雑な作業を伴わず、滅菌後にすぐに使用でき、しかもランニングコストが安い。
【００５３】
このようなオートクレーブ滅菌（高温高圧蒸気滅菌）は、オートクレーブ滅菌（高温高圧蒸気滅菌）装置に高温高圧蒸気滅菌可能な内視鏡を投入してオートクレーブ滅菌（高温高圧蒸気滅菌）を行っている。
オートクレーブ滅菌の代表的な条件としては、米国規格協会承認、医療機器開発協会発行の米国規格ＡＮＳＩ／ＡＡＭＩ  ＳＴ３７−１９９２があり、この条件はプレバキュームタイプでは滅菌工程１３２℃、４分、またグラビティタイプでは滅菌工程で１３２℃、１０分となっている。
【００５４】
しかしながら、このオートクレーブの高圧高温水蒸気は、内視鏡を構成している部材であるゴム、プラスチック等の高分子材料、接着剤等を透過する性質を持っている。特に、従来一般に用いられる接着剤であるエポキシ樹脂は高温の水蒸気によって劣化し易く、接着剤が剥離してしまうことにより、レンズ系内部に水蒸気が浸入しやすくなる虞れが生じる。また、各材質の熱膨張率の違いにより部品間に応力がかかるため、接着剤が剥離することによるレンズ系内部への水蒸気の浸入も懸念される。従って、従来の水密構造に構成されている内視鏡をオートクレーブ滅菌装置に投入して滅菌した場合は、Ｏリング、接着剤等の一般的な方法により水密に構成された内視鏡構造の内部にも水蒸気が浸入してくることになる。
【００５５】
また、オートクレーブ滅菌の際には、滅菌工程前の真空工程時に、湾曲部における外皮チューブの破裂を防止するため、内視鏡内外を連通させた状態でオートクレーブ滅菌装置に投入する方法があるが、この場合、積極的に内視鏡内部にオートクレーブ滅菌の水蒸気が浸入することになる。
上記従来の内視鏡は、前記湾曲部１２を遠隔的に湾曲操作する湾曲機構が前記操作部３内部に設けて構成されているが、上記オートクレーブ滅菌（高温高圧蒸気滅菌）時の高温高圧蒸気に曝されて上記湾曲機構を構成している部材が錆びたり、また、劣化したりする虞れがあった。
【００５６】
そこで、上記オートクレーブ滅菌（高温高圧蒸気滅菌）時の高温高圧蒸気に曝されても錆びたり、また、劣化したりしないように湾曲機構を構成する。
図１１は、操作部３の内部に設けられている湾曲機構を示す説明図であり、図１１（ａ）は湾曲機構の概略構造を示す側面図、図１１（ｂ）は同図（ａ）の断面図、図１２は湾曲ゴムの端部付近の概略断面図である。
【００５７】
図１１（ａ）、（ｂ）に示すように前記操作部３の内部には、湾曲部を遠隔的に湾曲操作する湾曲機構８０が設けられている。この湾曲機構８０は、少なくとも２枚の略円盤状の真鍮部材８１（８１ａ，８１ｂ）の間に挟まれるようにして同じく略円盤状のポリアセタール部材８２が設けられる。前記真鍮部材８１ａの外周側面には、端部が前記湾曲部１２に接続されるアングル操作ワイヤ８３が固着される。また、前記真鍮部材８１ａの中心部には軸８４の一端が固着され、この軸８４の他端は前記湾曲操作レバー１４に接続される。前記２枚の略円盤状の真鍮部材８１（８１ａ，８１ｂ）には、例えば、ニッケルクロムメッキが施されている。このことにより、高温高圧蒸気下に曝されても真鍮部材８１が錆びることが無く、また、ポリアセタール部材８２が劣化することが無い。
【００５８】
また、図１２に示すように前記湾曲部１２は、外装される湾曲ゴム８６の両端部が糸巻きされ、この糸巻き外表面は接着剤８７によって覆われて構成されているが、上記オートクレーブ滅菌（高温高圧蒸気滅菌）時の高温高圧蒸気に曝されて上記糸巻きしている糸が熱収縮して上記湾曲ゴム８６が切れる虞れがあった。
【００５９】
そこで、上記オートクレーブ滅菌（高温高圧蒸気滅菌）時の高温高圧蒸気に曝されても上記湾曲ゴム８６が切れないように前記湾曲ゴム８６の両端部を高温高圧水蒸気に対する耐性を有する糸８８、例えば、『ベクトラン』（商品名）等のポリアリレート繊維を巻き付けることにより前記湾曲部１２に固定する。尚、前記糸８８は、単線でも良いし、撚り線でも良い。
【００６０】
［付記］
（付記項１）  複数の信号線を束ねてその外側にシールド部材を設けた第１のケーブル及び１本以上の信号線がその外側のシールド部材で覆われた第２の信号ケーブルを信号処理装置に接続するコネクタ部を有する電子内視鏡装置において、
前記コネクタ部に収容される回路基板と、
前記回路基板を覆うシールド手段と、
前記第１及び前記第２の信号ケーブルの前記コネクタ部側における両シールド部材露出部分を固定するための導電性のケーブル固定部材と、
前記導電性のケーブル固定部材を前記回路基板のグランドパターンに係止すると共に、前記シールド手段に固定する導電性の係止部材と、
を具備し、前記第１及び第２の信号ケーブルのシールド部材と、前記ケーブル固定部材と、前記シールド手段と、前記回路基板の前記グランドパターンとを、同電位にすることを特徴とする電子内視鏡装置。
【００６１】
（付記項２）  複数の信号線を束ねてその外側にシールド部材を設けた第１のケーブル及び１本以上の信号線がその外側のシールド部材で覆われた第２の信号ケーブルを信号処理装置に接続するコネクタ部を有する電子内視鏡において、
前記コネクタ部に収容される回路基板と、
前記回路基板を覆うシールド手段と、
前記第１及び前記第２の信号ケーブルの前記コネクタ部側における両シールド部材露出部分を固定するための導電性のケーブル固定部材と、
前記導電性のケーブル固定部材を前記回路基板のグランドパターンに係止すると共に、前記シールド手段に固定する導電性の係止部材と、
を具備し、前記第１及び第２の信号ケーブルのシールド部材と、前記ケーブル固定部材と、前記シールド手段と、前記回路基板の前記グランドパターンとを、同電位にすることを特徴とする電子内視鏡。
【００６２】
（付記項３）  複数の信号線を束ねてその外側にシールド部材を設けた第１のケーブル及び１本以上の信号線がその外側のシールド部材で覆われた第２の信号ケーブルを信号処理装置に接続するコネクタ部を有するテレビカメラにおいて、前記コネクタ部に収容される回路基板と、
前記回路基板を覆うシールド手段と、
前記第１及び前記第２の信号ケーブルの前記コネクタ部側における両シールド部材露出部分を固定するための導電性のケーブル固定部材と、
前記導電性のケーブル固定部材を前記回路基板のグランドパターンに係止すると共に、前記シールド手段に固定する導電性の係止部材と、
を具備し、前記第１及び第２の信号ケーブルのシールド部材と、前記ケーブル固定部材と、前記シールド手段と、前記回路基板の前記グランドパターンとを、同電位にすることを特徴とするテレビカメラ。
【００６３】
（付記項４）  前記シールド部材は金属性の鋼管であることを特徴とする付記項１に記載の電子内視鏡装置。
【００６４】
（付記項５）  前記第１のケーブルは、撮像素子に接続されることを特徴とする付記項１に記載の電子内視鏡装置。
【００６５】
（付記項６）  前記第２の信号ケーブルは、前記信号処理装置の動作を遠隔制御するリモート信号を伝達することを特徴とする付記項１に記載の電子内視鏡装置。
【００６６】
（付記項７）  前記シールド部材は金属性の鋼管であることを特徴とする付記項２に記載の電子内視鏡。
【００６７】
（付記項８）  前記第１のケーブルは、撮像素子に接続されることを特徴とする付記項２に記載の電子内視鏡。
【００６８】
（付記項９）  前記第２の信号ケーブルは、前記信号処理装置の動作を遠隔制御するリモート信号を伝達することを特徴とする付記項２に記載の電子内視鏡。
【００６９】
（付記項１０）  前記シールド部材は金属性の鋼管であることを特徴とする付記項３に記載のテレビカメラ。
【００７０】
（付記項１１）  前記第１のケーブルは、撮像素子に接続されることを特徴とする付記項３に記載のテレビカメラ。
【００７１】
（付記項１２）  前記第２の信号ケーブルは、前記信号処理装置の動作を遠隔制御するリモート信号を伝達することを特徴とする付記項３に記載のテレビカメラ。
【００７２】
【発明の効果】
以上説明したように本発明によれば、撮像信号ケーブル及びリモート信号ケーブルの２系統を有しても、組み立てが簡単で、有害な電磁ノイズの影響を低減できる電子内視鏡装置を実現できる。
【図面の簡単な説明】
【図１】本発明の第１の実施の形態の電子内視鏡を示す外観構成図
【図２】図１の電子内視鏡の内部構成を示す概略断面図
【図３】図２の撮像ケーブルを説明する断面構造図
【図４】図２の内視鏡操作部の断面図
【図５】図４の内視鏡操作部のＡ−Ａ断面図
【図６】ＣＣＵコネクタを説明する横断面図
【図７】図６のＣＣＵコネクタの縦断面図
【図８】図６のＣＣＵコネクタのＢ−Ｂ断面図
【図９】本発明の第２の実施の形態の電子内視鏡装置を示す外観構成図
【図１０】図９の電子内視鏡装置の内部構成を示す概略断面図
【図１１】操作部の内部に設けられている湾曲機構を示す説明図
【図１２】湾曲ゴムの端部付近の概略断面図
【符号の説明】
１            …電子内視鏡
２            …挿入部
４            …ユニバーサルコード
７            …ＣＣＵコネクタ
１５            …リモートスイッチ
２３            …ＣＣＤ（撮像素子）
２４            …撮像信号ケーブル
２５            …電気シールド部材
２６            …リモート信号ケーブル
２７            …入出力信号線
２８
（２８ａ，２８ｂ）…金属製網管
３１            …ケーブル固定管
３２            …回路基板
３２ａ          …グランドパターン
３２ｂ          …ランド
３３            …接点ユニット
３４            …シールドケース（シールド手段）
３５            …シールドカバー
５１            …クランプ台
５２            …クランプ
【図１】
0003607873.tif 000002
【図２】
0003607873.tif 000003
【図３】
0003607873.tif 000004
【図４】
0003607873.tif 000005
【図５】
0003607873.tif 000006
【図６】
0003607873.tif 000007
【図７】
0003607873.tif 000008
【図８】
0003607873.tif 000009
【図９】
0003607873.tif 000010
【図１０】
0003607873.tif 000011
【図１１】
0003607873.tif 000012
【図１２】
0003607873.tif 000013